(57)【要約】【課題】単純な方法で即座にヘルプ情報を表示できる電子機器、画像記録再生装置及びヘルプ情報の表示制御方法を提供する。【解決手段】情報を表示するＬＣＤモニタ１１０と、装置本体の傾斜状態を検出する加速度センサ１２４と、加速度センサ１２４の検出結果に基づいて、ＬＣＤモニタ１１０に表示されている情報のうち選択状態にあるものに関するヘルプ情報を、ＬＣＤモニタ１１０に表示するか否かを判断するプロセッサ１０４とを有する。【選択図】図５
2010181956.tif 000002
【特許請求の範囲】
【請求項１】
情報を表示する情報表示手段と、
装置本体の傾斜状態を検出する傾き検出手段と、
前記傾き検出手段の検出結果に基づいて、前記情報表示手段に表示されている情報のうち選択状態にあるものに関するヘルプ情報を、前記情報表示手段に表示するか否かを判断する手段とを有することを特徴とする電子機器。
【請求項２】
前記装置本体が第１の所定角度以上傾いたことを前記傾き検出手段が検出した場合に、前記情報表示手段に表示されている情報のうち選択状態にあるものに関するヘルプ情報を、前記情報表示手段に表示することを特徴とする請求項１記載の電子機器。
【請求項３】
前記装置本体が所定方向に傾いた状態であることを前記傾き検出手段が検出した場合に、前記情報表示手段に表示されている情報のうち選択状態にあるものに関するヘルプ情報を、前記情報表示手段に表示することを特徴とする請求項２記載の電子機器。
【請求項４】
少なくとも二つの動作モードを備え、
前記傾き検出手段の検出結果に基づいて、動作モードを変更することを特徴とする請求項１から３のいずれか１項記載の電子機器。
【請求項５】
前記装置本体が第２の所定角度以上傾いたことを前記傾き検出手段が検出した場合に、動作モードを変更することを特徴とする請求項４記載の電子機器。
【請求項６】
前記装置本体が傾斜した方向に応じて、その方向に対応づけられた動作モードに変更することを特徴とする請求項４又は５記載の電子機器。
【請求項７】
請求項１から６のいずれか１項記載の電子機器に撮像手段及び画像表示手段を搭載したことを特徴とする画像記録再生装置。
【請求項８】
電子機器に設置した傾き検出手段によって装置本体の傾斜状態を検出し、
前記傾き検出手段の検出結果に基づいて、前記情報表示手段に表示されている情報のうち選択状態にあるものに関するヘルプ情報を、前記情報表示手段に表示するか否かを判断することを特徴とするヘルプ情報の表示制御方法。
【請求項９】
前記装置本体が第１の所定角度以上傾いたことを前記傾き検出手段が検出した場合に、前記情報表示手段に表示されている情報のうち選択状態にあるものに関するヘルプ情報を、前記情報表示手段に表示することを特徴とする請求項８記載のヘルプ情報の表示制御方法。
【請求項１０】
前記装置本体が所定方向に傾いた状態であることを前記傾き検出手段が検出した場合に、前記情報表示手段に表示されている情報のうち選択状態にあるものに関するヘルプ情報を、前記情報表示手段に表示することを特徴とする請求項９記載のヘルプ情報の表示制御方法。
【請求項１１】
前記傾き検出手段の検出結果に基づいて、前記電子機器が備える少なくとも二つの動作モードのいずれかに変更することを特徴とする請求項８から１０のいずれか１項記載のヘルプ情報の表示制御方法。
【請求項１２】
前記装置本体が第２の所定角度以上傾いたことを前記傾き検出手段が検出した場合に、動作モードを変更することを特徴とする請求項１１記載のヘルプ情報の表示制御方法。
【請求項１３】
前記装置本体が傾斜した方向に応じて、その方向に対応づけられた動作モードに変更することを特徴とする請求項１１又は１２記載のヘルプ情報の表示制御方法。
【発明の詳細な説明】
【技術分野】
【０００１】
単純な方法で即座にヘルプ情報を表示できる電子機器、画像記録再生装置及びヘルプ情報の表示制御方法に関する。
【背景技術】
【０００２】
近年のディジタルカメラは多種多彩な機能を備えており、それらの機能をユーザが使いこなせなかったり、マニュアルを熟読しないと機能の存在自体に気づかないなどといった問題が起こっている。
【０００３】
この問題に対応するために、ディジタルカメラにヘルプ機能を搭載することが多くなっている。
【０００４】
ヘルプ機能とは、ある条件を満たした場合に画面上に操作方法等を支援する情報を表示する機能である。ヘルプ情報を表示させる条件として、一つには使用者によるマニュアル操作を行うことによる表示方法があげられる。これは例えば、ボタンを押下することによって情報を表示させたり、表示画面がタッチパネルになっている場合には所定のアイコンをクリックすることによって表示させるといった手法である。
また、マニュアル操作以外の条件として、一定時間使用者からの入力が無い場合にヘルプ情報を表示する手法が特許文献１に開示されている。
【発明の概要】
【発明が解決しようとする課題】
【０００５】
しかし、多くのディジタルカメラにはヘルプ表示専用のボタンというものは用意されておらず、既存のボタンで代用している。したがって、ボタンを押下する方法では、既存のボタンに本来備わっている機能を使おうとしたのにヘルプ情報が表示されたり、その逆の状況も起こりうるため、ユーザを混乱させてしまう恐れがあった。
【０００６】
また、アイコンをクリックする方法では、ディジタルカメラの表示画面は大きくないため、ヘルプ情報の表示用のアイコンとは異なる場所をクリックしてしまうことがあった。
【０００７】
さらに、特許文献１に開示される方法では、ヘルプ情報を表示させたい場合でも一定時間待機しなければならず、ユーザが見たい時に即座にヘルプ情報を参照できないという問題があった。
【０００８】
本発明は係る問題に鑑みてなされたものであり、単純な方法で即座にヘルプ情報を表示できる電子機器、画像記録再生装置及びヘルプ情報の表示制御方法を提供することを目的とする。
【課題を解決するための手段】
【０００９】
上記目的を達成するため、本発明は、第１の態様として、情報を表示する情報表示手段と、装置本体の傾斜状態を検出する傾き検出手段と、傾き検出手段の検出結果に基づいて、情報表示手段に表示されている情報のうち選択状態にあるものに関するヘルプ情報を、情報表示手段に表示するか否かを判断する手段とを有することを特徴とする電子機器を提供するものである。
【００１０】
また、上記目的を達成するため、本発明は、第２の態様として、上記本発明の第１の態様に係る電子機器に撮像手段及び画像表示手段を搭載したことを特徴とする画像記録再生装置を提供するものである。
【００１１】
また、上記目的を達成するため、本発明は、第３の態様として、電子機器に設置した傾き検出手段によって装置本体の傾斜状態を検出し、傾き検出手段の検出結果に基づいて、情報表示手段に表示されている情報のうち選択状態にあるものに関するヘルプ情報を、情報表示手段に表示するか否かを判断することを特徴とするヘルプ情報の表示制御方法を提供するものである。
【発明の効果】
【００１２】
本発明によれば、単純な方法で即座にヘルプ情報を表示できる電子機器、画像記録再生装置及びヘルプ情報の表示制御方法を提供できる。
【図面の簡単な説明】
【００１３】
【図１】本発明を好適に実施した第１の実施形態に係るディジタルスチルカメラの正面図である。
【図２】第１の実施形態に係るディジタルスチルカメラの上面図である。
【図３】第１の実施形態に係るディジタルスチルカメラの背面図である。
【図４】第１の実施形態に係るディジタルスチルカメラの機能構成を示す図である。
【図５】第１の実施形態に係るディジタルスチルカメラの機能構成を示す図である。
【図６】第１の実施形態に係るディジタルスチルカメラのヘルプ情報表示制御動作の流れを示す図である。
【図７】第１の実施形態に係るディジタルスチルカメラのヘルプ情報表示制御動作を示す図である。
【図８】本発明を好適に実施した第２の実施形態に係るディジタルスチルカメラのモード切替・ヘルプ情報表示制御動作の流れを示す図である。
【図９】第２の実施形態に係るディジタルスチルカメラのファインダモードからメニューモードへの切り替え制御を示す図である。
【図１０】第２の実施形態に係るディジタルスチルカメラのメニューモードからファインダモードへの切り替え制御を示す図である。
【図１１】第２の実施形態に係るディジタルスチルカメラのファインダモード内メニューでのヘルプ情報表示制御動作を示す図である。
【図１２】本発明を好適に実施した第３の実施形態に係るディジタルスチルカメラのモード切替・ヘルプ情報表示制御動作の流れを示す図である。
【図１３】第３の実施形態に係るディジタルスチルカメラのヘルプ情報表示制御動作を示す図である。
【図１４】第３の実施形態に係るディジタルスチルカメラのメニューモードからファインダモードへの切り替え制御を示す図である。
【発明を実施するための形態】
【００１４】
〔第１の実施形態〕
本発明を好適に実施した第１の形態について説明する。
図１〜図３に、本実施形態に係る画像記録再生装置としてのディジタルスチルカメラの構成を示す。
カメラボディＣＢの上面にはレリーズボタン（スイッチ）ＳＷ１、モードダイヤルＳＷ２、及びサブ液晶ディスプレイ（サブＬＣＤ）（以下、「液晶ディスプレイ」を「ＬＣＤ」と表記する）１が配置されている。カメラボディＣＢの正面には、ストロボ発光部３、光学ファインダ４、リモコン受光部６及び撮像レンズを含む鏡胴ユニット７が配置されている。カメラボディＣＢの一方の側面部には、メモリカード装填室及び電池装填室の蓋２が設けられている。カメラボディＣＢの背面には、光学ファインダ４、オートフォーカス用ＬＥＤ（発光ダイオード）８、ストロボＬＥＤ９、ＬＣＤモニタ１１０、電源スイッチ１３、広角方向ズームスイッチＳＷ３、望遠方向ズームスイッチＳＷ４、セルフタイマ設定／解除スイッチＳＷ５、メニュースイッチＳＷ６、上移動／ストロボセットスイッチＳＷ７、右移動スイッチＳＷ８、ディスプレイスイッチＳＷ９、下移動／マクロスイッチＳＷ１０、左移動／画像確認スイッチＳＷ１１、ＯＫスイッチＳＷ１２、及びクイックアクセススイッチＳＷ１３が配置されている。
【００１５】
図４、５に、ディジタルスチルカメラの機能構成を示す。ディジタルスチルカメラのシステムは、ディジタル信号処理ＩＣ（集積回路）等として構成されるディジタルスチルカメラプロセッサ１０４（以下、単にプロセッサと言う）によって制御される。プロセッサ１０４は、第１のＣＣＤ（電荷結合素子）信号処理ブロック１０４１、第２のＣＣＤ信号処理ブロック１０４２、ＣＰＵ（中央演算ユニット）ブロック１０４３、ローカルＳＲＡＭ（スタティックランダムアクセスメモリ）１０４４、ＵＳＢ（ユニバーサルシリアルバス）ブロック１０４５、シリアルブロック１０４６、ＪＰＥＧコーデック（ＣＯＤＥＣ）ブロック１０４７、リサイズ（ＲＥＳＩＺＥ）ブロック１０４８、ビデオ信号表示ブロック１０４９、メモリカードコントローラブロック１０４１０及びＩ２Ｃブロック１０４１１を有し、これらは相互にバスラインで接続されている。
【００１６】
プロセッサ１０４の外部には、ＲＡＷ−ＲＧＢ画像データ、ＹＵＶ画像データ及びＪＰＥＧ画像データを保存するためのＳＤＲＡＭ（シンクロナスランダムアクセスメモリ）１０３が配置されており、バスラインを介してプロセッサ１０４に接続されている。
【００１７】
プロセッサ１０４の外部には、ＲＡＭ１０７、内蔵メモリ１２０及び制御プログラムが格納されたＲＯＭ１０８が配置されており、バスラインを介してプロセッサ１０４に接続されている。
【００１８】
鏡胴ユニット７は、ズームレンズ７１ａを有するズーム光学系７１、フォーカスレンズ７２ａを有するフォーカス光学系７２、絞り７３ａを有する絞りユニット７３、及びメカニカルシャッタ７４ａを有するメカシャッタユニット７４を備える。ズーム光学系７１、フォーカス光学系７２、絞りユニット７３及びメカシャッタユニット７４は、それぞれズームモータ７１ｂ、フォーカスモータ７２ｂ、絞りモータ７３ｂ及びメカシャッタモータ７４ｂによって駆動される。これらの各モータは、プロセッサ１０４のＣＰＵブロック１０４３によって制御されるモータドライバ７５によって動作が制御される。
【００１９】
鏡胴ユニット７のズームレンズ７１ａ及びフォーカスレンズ７２ａは、撮像素子であるＣＣＤ１０１の撮像面上に被写体光学像を結像するための撮像レンズを構成し、ＣＣＤ１０１は、被写体光学像を電気的な画像信号に変換してＦ／Ｅ−ＩＣ（フロントエンドＩＣ）１０２へ入力する。Ｆ／Ｅ−ＩＣ１０２は、ＣＤＳ（相関二重サンプリング）部１０２１、ＡＧＣ（自動利得制御）部１０２２及びＡ／Ｄ（アナログ−ディジタル）変換部１０２３を有し、画像信号に所定の処理を施し、ディジタル信号に変換してプロセッサ１０４の第１のＣＣＤ信号処理ブロック１０４１へ入力する。これらの信号処理動作は、プロセッサ１０４の第１の信号処理ブロック１０４１から出力されるＶＤ・ＨＤ（垂直駆動・水平駆動）信号によりＴＧ（タイミングジェネレータ）１０２４を介して制御される。
なお、第１のＣＣＤ信号処理ブロック１０４１は、ＣＣＤ固体撮像素子１０１からＦ／Ｅ−ＩＣ１０２を経由して入力されたディジタル画像データに対してホワイトバランス調整及びγ調整等の信号処理を行うとともに、ＶＤ信号及びＨＤ信号を出力する。
【００２０】
プロセッサ１０４のＣＰＵブロック１０４３は、音声記録回路１１５１による音声記録動作を制御する。音声記録回路１１５１は、マイクロホン１１５３で変換された音声信号がマイクロホンアンプ１１５２により増幅された増幅信号を、指令に応じて記録する。また、ＣＰＵブロック１０４３は、音声再生回路１１６１の動作も制御する。音声再生回路１１６１は、指令により、メモリに記録されている音声信号をオーディオアンプ１１６２で増幅してスピーカ１１６３へ入力し、スピーカ１１６３から音声を出力する。ＣＰＵブロック１０４３は、ストロボ回路１１４を制御して動作させることによってストロボ発光部３から照明光を発光させる。また、ＣＰＵブロック１０４３は、被写体距離を測定する測距ユニット５の動作も制御する。
なお、本実施形態において、測距ユニット５による被写体距離の測定は必ずしも行わなくとも良く、その場合には測距ユニット５を省略した構成としても良い。また、測距ユニット５による被写体距離の測定情報を、ストロボ回路１１４におけるストロボ発光制御に利用しても良い。測距ユニット５による被写体距離の測定情報を、撮像された画像データに基づく合焦制御に対して補助的に利用するようにしても良い。
【００２１】
さらに、ＣＰＵブロック１０４３は、プロセッサ１０４の外部に配置されたサブＣＰＵ１０９にも接続されている。サブＣＰＵ１０９は、ＬＣＤドライバ１１１を介してサブＬＣＤ１による表示を制御する。また、サブＣＰＵ１０９は、ＡＦ用ＬＥＤ８，ストロボＬＥＤ９、リモコン受光部６、スイッチＳＷ１〜ＳＷ１３からなる操作部及びブザー１１３にもそれぞれ接続されている。
【００２２】
ＵＳＢブロック１０４５は、ＵＳＢコネクタ１２２に接続されている。ビデオ信号表示ブロック１０４９は、ＬＣＤドライバ１１７を介してＬＣＤモニタ１１０に接続されている。また、ビデオ信号表示ブロック１０４９は、ビデオアンプ１１８を介してビデオジャック１１９に接続されている。メモリカードコントローラブロック１０４１０は、メモリカードスロット１２１のカード接点に接続されており、メモリカード１２１２がメモリカードスロット１２１に装填されると、メモリカード１２１２の接点に接触してメモリカード１２１２に対する電気的な接続を実現する。
【００２３】
Ｉ２Ｃブロック１０４１１は、加速度センサ１２４に接続されており、２軸Ｘ，Ｙと温度Ｔのデータを出力する。そのデータからカメラの傾きを算出し、ＬＣＤモニタ１１０などに表示する。
【００２４】
次に、本実施形態に係るディジタルスチルカメラのヘルプ情報表示制御の流れについて説明する。図６に、加速度センサを用いたヘルプ情報表示制御動作の流れを示す。また、でぃディジタルスチルカメラにおけるヘルプ情報表示の表示状態を図７に示す。
図６に示す動作の流れは、水準器モードがＯＮとなっていることを前提としている。水準器モードの設定は、メニューモードに切り替えてから行うようにしても良いし、モードダイヤルスイッチに割り当てても良い。また、ファインダモード内にメニュー表示等が可能であれば、そこから選択して、ＳＷ１２で設定できるようにしても良い。表示部に表示されている画面をいくつかの項目及びそれを選択するためのカーソルが表示される画面、すなわち、メニューモード又はファインダモード内でメニュー表示させている画面とする。
【００２５】
ファインダモードとは、レンズを通して得られる映像をＬＣＤモニタ１１０に表示させている状態をいう。ディジタルスチルカメラの電源を入れたときはこの表示から始まる。メニューボタンを押下することでメニューモードに表示が切り替わる（図７（ａ））。メニューモードは、ディジタルスチルカメラの各設定を行うためのモードである。また、ファインダモード中でも何らかのボタン、例えば右移動スイッチＳＷ８等を操作することで、メニュー画面を開くことが可能である。
【００２６】
水準器モードが選択されている場合には、定期的に傾き検知処理を行う。
まず、加速度センサ１２４を起動してデータを取得し、鉛直方向に対する傾き角度θを算出する。
【００２７】
加速度センサ１２４のデータから傾き角度θを算出する方法の一例について説明する。ただし、以下の算出方法はあくまでも一例であり、公知の方法を適用して傾き角を算出可能である。
加速度センサ１２４の出力をＸ軸出力ｘ、Ｙ軸出力ｙ、温度出力ｔ、重力ゼロでの出力をｇ（ｔ）、ＸとＹの重力の比をＲ、検出角をθとする。
【００２８】
ここで、θ０は、ディジタルスチルカメラが水平（０度）でのＣＣＤ１０１と加速度センサ１２４との相対ロール角である。また、θ９０は、カメラが縦（＋９０度）でのＣＣＤ１０１と加速度センサ１２４との相対ロール角である。また、θ２７０は、カメラが縦（−９０度）でのＣＣＤ１０１と加速度センサ１２４との相対ロール角とである。
【００２９】
ｇ（ｔ）＝２０４８＋０．４ｔ
Ｒ（ｘ，ｙ，ｔ）＝（ｙ・ｇ（ｔ））／（ｘ・ｇ（ｔ））
θ＝１８０／ｎａｒｃｔａｎ（Ｒ（ｘ，ｙ，ｔ））・θ０
【００３０】
０＜θ＜３６０の範囲ではθには二つの候補が存在するため、ｘ・ｇ（ｔ）が正負のいずれであるかに基づいて候補の一方を選択し、θを決定する。
θが＋９０度近傍であれば、θ０ではなくθ９０を用いて。
θ＝１８０／ｎａｒｃｔａｎ（Ｒ（ｘ，ｙ，ｔ）・θ９０
とθを再計算する。
θが−９０度近傍であれば、θ０ではなくθ２７０を用いて。
θ＝１８０／ｎａｒｃｔａｎ（Ｒ（ｘ，ｙ，ｔ）・θ２７０
とθを再計算する。
【００３１】
以上の手順により、加速度センサ１２４の出力から傾き角度θを検出できる。
【００３２】
検出した傾き角度基づいてヘルプ情報の表示を行う動作について説明する。以下の説明では、図７における右方向をプラス方向、左方向をマイナス方向と定義し、プラス方向へのｎ度の傾きを＋ｎ度、マイナス方向へのｍ度の傾きを−ｍ度と表記する。従って、「傾き角が−ｍ度以上」とは、マイナス方向にｍ度以上傾いた状態を意味し、「傾き角が±ｍ度以上」とは、プラス方向又はマイナス方向にｍ度以上傾いた状態を意味する。
【００３３】
角度算出後、その角度が既定値以上であるか否かを判断する（ステップＳ１０１）。この既定値は任意に設定可能であるが、本実施形態においては±４５度であるとする。既定値以上である場合（ステップＳ１０１／Ｙｅｓ）、すなわちディジタルスチルカメラの傾きが±４５度以上である場合は、ヘルプ情報の表示が可能な項目上にカーソルがあるか否かを判断する（ステップＳ１０２）。ヘルプ情報の表示が可能な項目上にカーソルがある場合には（ステップＳ１０２／Ｙｅｓ）、その時点でカーソルがあっている項目のヘルプ情報を表示させる（ステップＳ１０３、図７（ｂ））。カーソルがあっている項目にヘルプ情報が用意されていない場合は何も表示しないが（ステップＳ１０２／Ｎｏ）、ヘルプ情報が用意されていないことを通知するメッセージを表示しても良い。
ヘルプ情報が表示された場合、傾き角が±４５度以上であるか否かを監視する（ステップＳ１０４）。±４５度以上の傾き角が検出されている間は（ステップＳ１０４／Ｎｏ）、ヘルプ情報の表示を継続する。傾き角が±４５度未満となったら（ステップＳ１０４／Ｙｅｓ）、ヘルプ情報の表示を終了し（ステップＳ１０５）、直前の表示画面に戻す（図７（ｃ））。
【００３４】
このように、本実施形態に係るディジタルスチルカメラは、カメラを所定角度以上傾けるという単純な操作で即座にヘルプ情報を表示させることができる。
【００３５】
〔第２の実施形態〕
本発明を好適に実施した第２の実施形態について説明する。本実施形態に係るディジタルスチルカメラの構成は、第１の実施形態と同様である。
【００３６】
本実施形態に係るディジタルスチルカメラのモード切替・ヘルプ情報表示制御の流れについて説明する。図８に、加速度センサを用いたモード切替・ヘルプ情報表示制御動作の流れを示す。また、ディジタルスチルカメラにおけるモードの切り替え状態を図９、図１０に、ファインダモード内メニューでのヘルプ情報表示制御を図１１に示す。
本実施形態においては、ヘルプ情報を表示可能な二つの表示モード、ファインダモードとメニューモードの切り替えを傾き検知結果に基づいて行う。なお、以下の説明では、図９における右方向をプラス方向、左方向をマイナス方向と定義し、プラス方向へのｎ度の傾きを＋ｎ度、マイナス方向へのｍ度の傾きを−ｍ度と表記する。従って、「傾き角が−ｍ度以上」とは、マイナス方向にｍ度以上傾いた状態を意味し、「傾き角が±ｍ度以上」とは、プラス方向又はマイナス方向にｍ度以上傾いた状態を意味する。
【００３７】
ディジタルスチルカメラは、電源がＯＮされると傾き角の検出を開始する（ステップＳ２０１）。また、ディジタルスチルカメラは、電源ＯＮ時にはファインダモードで起動する（ステップＳ２０２、図９（ａ））。その状態において、第１の実施形態と同様に傾き角を算出し、傾きが既定値（ここでは＋４５度とする）以上であるか否かを判断する（ステップＳ２０３）。傾き角が＋４５度以上である場合（ステップＳ２０３／Ｙｅｓ）、画面表示をメニューモードに切り替える（Ｓ２０４、図９（ｂ）、（ｃ））。傾きが＋４５度未満である場合にはファインダモードを継続する（ステップＳ２０３／Ｎｏ）。
【００３８】
メニューモードの状態において、傾き角が−４５度以上となった場合（ステップＳ２０５／Ｙｅｓ）、画面表示をファインダモードに切り替える（ステップＳ２０２、図１０（ｂ）、（ｃ））。メニューモードの状態において傾き角が＋４５度以上となった場合は（ステップＳ２０６／Ｙｅｓ）、カーソルがヘルプ情報を表示可能な項目上にあるか否かを判断する（ステップＳ２０７）。カーソルがヘルプ情報を表示可能な項目上にある場合には（ステップＳ２０７／Ｙｅｓ）、第１の実施形態と同様に、その時点でカーソルがあっている項目のヘルプ情報を表示する（ステップＳ２０８、図７（ｂ））。
【００３９】
ヘルプ情報を表示した後、傾き角度が＋４５度以上であるか否かの監視を継続し、傾き角度が＋４５度以上ならば（ステップＳ２０９／Ｎｏ）、ヘルプ情報の表示を継続する（ステップＳ２０８）。傾き角が＋４５度未満となったら（ステップＳ２０９／Ｙｅｓ）、ヘルプ情報の表示を終了し（ステップＳ２１０）、直前の表示画面に戻す（図７（ｃ））。
【００４０】
ファインダモードの状態において、右移動スイッチＳＷ８を押下することによりファインダモード内メニューが表示される（図１１（ａ））。ファインダモード内メニューを表示していない場合は（ステップＳ２１１／Ｎｏ）、処理を終了する。ファインダモード内メニューを表示している状態であるならば（ステップＳ２１１／Ｙｅｓ）、傾き角が−４５度以上であるか否かを判断する（ステップＳ２１２）。傾き角が−４５度以上となった場合には（ステップＳ２１２／Ｙｅｓ）、カーソルがヘルプ情報を表示可能な項目上にあるか否かを判断する（ステップＳ２１３）。カーソルがヘルプ情報を表示可能な項目上にある場合には（ステップＳ２１３／Ｙｅｓ）、その時点でカーソルがあっている項目のヘルプ情報を表示する（ステップＳ２１４、図１１（ｂ））。カーソルがあっている項目にヘルプ情報が用意されていない場合は何も表示しないが、ヘルプ情報が用意されていないことを通知するメッセージを表示しても良い。
【００４１】
ヘルプ情報を表示した後、傾き角度が−４５度以上であるか否かの監視を継続し、傾き角度が−４５度以上ならば（ステップＳ２１５／Ｎｏ）、ヘルプ情報の表示を継続する（ステップＳ２１４）。傾き角が−４５度未満となったら（ステップＳ２１５／Ｙｅｓ）、ヘルプ情報の表示を終了し（ステップＳ２１０）、直前の表示画面に戻す（図１１（ｃ））。
【００４２】
本実施形態においては、ファインダモードからメニューモードへ切り替える場合、またその逆の状況においてボタン操作が不要であり、上下左右移動スイッチＳＷ７、ＳＷ８、ＳＷ１０、ＳＷ１１から手を離すことなくモードを切り替えられる。従って、カメラを片手で操作する場合でも、モード切替時にカメラを落下させてしまう可能性を低減できる。
【００４３】
なお、ここではプラス方向に既定値以上傾いた場合にファインダモードからメニューモードへ切り替え、マイナス方向に既定値以上傾いた場合にメニューモードからファインダモードへ切り替える場合を例としたが、マイナス方向に既定値以上傾いた場合にファインダモードからメニューモードへ切り替え、プラス方向に既定値以上傾いた場合にメニューモードからファインダモードへ切り替えるようにしても良い。
【００４４】
〔第３の実施形態〕
本発明を好適に実施した第３の実施形態について説明する。本実施形態に係るディジタルスチルカメラの構成は、第１の実施形態と同様である。
【００４５】
本実施形態に係るディジタルスチルカメラのモード切替・ヘルプ情報表示制御の流れについて説明する。図１２に、加速度センサを用いたモード切替・ヘルプ情報表示制御動作の流れを示す。また、ディジタルスチルカメラにおけるモードの切り替え状態を図１３、図１４に示す。本実施形態においては、ファインダモードとメニューモードとの切り替え及びヘルプ情報表示の制御を傾き角の大きさに応じて行う。
【００４６】
なお、以下の説明では、図１３における右方向をプラス方向、左方向をマイナス方向と定義し、プラス方向へのｎ度の傾きを＋ｎ度、マイナス方向へのｍ度の傾きを−ｍ度と表記する。従って、「傾き角が−ｍ度以上」とは、マイナス方向にｍ度以上傾いた状態を意味し、「傾き角が±ｍ度以上」とは、プラス方向又はマイナス方向にｍ度以上傾いた状態を意味する。
【００４７】
ディジタルスチルカメラは、電源がＯＮされると傾き角の検出を開始する（ステップＳ３０１）。また、ディジタルスチルカメラは、電源ＯＮ時にはファインダモードで起動する（ステップＳ３０２）。その状態において、第１の実施形態と同様に傾き角を算出し、傾きが既定値（ここでは６０度とする）以上であるか否かを判断する（ステップＳ３０３）。傾き角が±６０度以上である場合（ステップＳ３０３／Ｙｅｓ）、画面表示をメニューモードに切り替える（Ｓ３０４）。傾きが±６０度未満である場合にはファインダモードを継続する（ステップＳ３０３／Ｎｏ）。
【００４８】
メニューモードの状態において、傾き角が±６０度以上となった場合（ステップＳ３０５／Ｙｅｓ）、画面表示をファインダモードに切り替える（ステップＳ３０２、図１４（ａ）〜（ｃ））。メニューモードの状態において傾き角が±３０度以上となった場合は（ステップＳ３０６／Ｙｅｓ）、カーソルがヘルプ情報を表示可能な項目上にあるか否かを判断する（ステップＳ３０７）。カーソルがヘルプ情報を表示可能な項目上にある場合には（ステップＳ３０７／Ｙｅｓ）、第１の実施形態と同様に、その時点でカーソルがあっている項目のヘルプ情報を表示する（ステップＳ３０８、図１３（ｂ））。
【００４９】
ヘルプ情報を表示した後、傾き角度が３０度以上であるか否かの監視を継続し、傾き角度が±３０度以上ならば（ステップＳ３０９／Ｎｏ）、ヘルプ情報の表示を継続する（ステップＳ３０８）。傾き角が±３０度未満となったら（ステップＳ３０９／Ｙｅｓ）、ヘルプ情報の表示を終了し（ステップＳ３１０）、直前の表示画面に戻す（図１３（ｃ））。
【００５０】
ファインダモードの状態において、右移動スイッチＳＷ８を押下することによりファインダモード内メニューが表示される。ファインダモード内メニューを表示していない場合は（ステップＳ３１１／Ｎｏ）、処理を終了する。ファインダモード内メニューを表示している状態であるならば（ステップＳ３１１／Ｙｅｓ）、傾き角が±３０度以上であるか否かを判断する（ステップＳ３１２）。傾き角が±３０度以上となった場合には（ステップＳ３１２／Ｙｅｓ）、カーソルがヘルプ情報を表示可能な項目上にあるか否かを判断する（ステップＳ３１３）。カーソルがヘルプ情報を表示可能な項目上にある場合には（ステップＳ３１３／Ｙｅｓ）、その時点でカーソルがあっている項目のヘルプ情報を表示する（ステップＳ３１４）。カーソルがあっている項目にヘルプ情報が用意されていない場合は何も表示しないが、ヘルプ情報が用意されていないことを通知するメッセージを表示しても良い。
【００５１】
ヘルプ情報を表示した後、傾き角度が±３０度以上であるか否かの監視を継続し、傾き角度が±３０度以上ならば（ステップＳ３１５／Ｎｏ）、ヘルプ情報の表示を継続する（ステップＳ３１４）。傾き角が±３０度未満となったら（ステップＳ３１５／Ｙｅｓ）、ヘルプ情報の表示を終了し（ステップＳ３１０）、直前の表示画面に戻す。
【００５２】
本実施形態においても第２の実施形態と同様に、ファインダモードからメニューモードへ切り替える場合、またその逆の状況においてボタン操作が不要であり、上下左右移動スイッチＳＷ７、ＳＷ８、ＳＷ１０、ＳＷ１１から手を離すことなくモードを切り替えられる。従って、カメラを片手で操作する場合でも、モード切替時にカメラを落下させてしまう可能性を低減できる。また、ファインダモードからメニューモードへの切り替え及びその逆の切り替えを、ディジタルスチルカメラを同じ側に傾けることで行えるため、切り替え操作が容易である。
【００５３】
なお、上記各実施形態は本発明の好適な実施の一例であり、本発明はこれらに限定されることはない。
例えば、上記各実施形態においては、ディジタルスチルカメラを例として説明したが、動画像を撮影するビデオカメラとして本発明を適用することも可能である。
また、必ずしも撮像機能を備えている必要はなく、携帯型音楽再生装置のような機器におけるモード切替、ヘルプ情報の表示にも適用可能である。
このように、本発明は様々な変形が可能である。
【符号の説明】
【００５４】
１    液晶ディスプレイ（ＬＣＤ）
２    蓋
３    ストロボ発光部
４    光学ファインダ
５    測距ユニット
６    リモコン受光部
７    鏡胴ユニット
８    オートフォーカス用ＬＥＤ
９    ストロボＬＥＤ
１３    電源スイッチ
７１    ズーム光学系
７１ａ    ズームレンズ
７１ｂ    ズームモータ
７２    フォーカス光学系
７２ａ    フォーカスレンズ
７２ｂ    フォーカスモータ
７３    絞りユニット
７３ａ    絞り
７３ｂ    絞りモータ
７４    メカシャッタユニット
７４ａ    メカニカルシャッタ
７４ｂ    メカシャッタモータ
７５    モータドライバ
１０１    ＣＣＤ
１０２    フロントエンドＩＣ
１０３    ＳＤＲＡＭ
１０４    プロセッサ
１０７    ＲＡＭ
１０８    ＲＯＭ
１０９    サブＣＰＵ
１１０    ＬＣＤモニタ
１１１  ＬＣＤドライバ
１１３    ブザー
１１４    ストロボ回路
１１７    ＬＣＤドライバ
１１８    ビデオアンプ
１１９    ビデオジャック
１２１    メモリカードスロット
１２２    ＵＳＢコネクタ
１２４    加速度センサ
１０２１  ＣＤＳ部
１０２２    ＡＧＣ部
１０２３    Ａ／Ｄ変換部
１０２４    ＴＧ
１０４１    第１のＣＣＤ信号処理ブロック
１０４２    第２のＣＣＤ信号処理ブロック
１０４３    ＣＰＵブロック
１０４４    ローカルＳＲＡＭ
１０４５    ＵＳＢブロック
１０４６    シリアルブロック
１０４７    ＪＰＥＧコーデックブロック
１０４８    リサイズブロック
１０４９    ビデオ信号表示ブロック
１１５１    音声記録回路
１１５２    マイクロホンアンプ
１１５３    マイクロホン
１１６１    音声再生回路
１１６２    オーディオアンプ
１１６３    スピーカ
１２１２    メモリカード
１０４１０    メモリカードコントローラブロック
１０４１１    Ｉ２Ｃブロック
ＳＷ１    レリーズボタン
ＳＷ２    モードダイヤル
ＳＷ３    広角方向ズームスイッチ
ＳＷ４    望遠方向ズームスイッチ
ＳＷ５    セルフタイマ設定／解除スイッチ
ＳＷ６    メニュースイッチ
ＳＷ７    上移動／ストロボスイッチ
ＳＷ８    右移動スイッチ
ＳＷ９    ディスプレイスイッチ
ＳＷ１０    下移動／マクロスイッチ
ＳＷ１１    左移動／画像確認スイッチ
ＳＷ１２    ＯＫスイッチ
ＳＷ１３    クイックアクセススイッチ
【先行技術文献】
【特許文献】
【００５５】
【特許文献１】特開２００１−１４２５９３号公報
【図１】
2010181956.tif 000003
【図２】
2010181956.tif 000004
【図３】
2010181956.tif 000005
【図４】
2010181956.tif 000006
【図５】
2010181956.tif 000007
【図６】
2010181956.tif 000008
【図７】
2010181956.tif 000009
【図８】
2010181956.tif 000010
【図９】
2010181956.tif 000011
【図１０】
2010181956.tif 000012
【図１１】
2010181956.tif 000013
【図１２】
2010181956.tif 000014
【図１３】
2010181956.tif 000015
【図１４】
2010181956.tif 000016